(57)【要約】【課題】サイズ表示方式の違い、靴によるサイズの違い、サイズ表示の間隔の違いによる対応のずれを修正して日本サイズを正確な外国サイズに換算する。【解決手段】カード型の本体１にそれより小径のフィルム状の円板２を重ね、その中心に鳩目３を打ち込んで両者を接合し、本体１の表面に円板２を軸止する。本体１には円板２の外周に沿って円弧状の固定スケール４を刻成し、円板２の対向縁部に移動スケール５を刻成する。固定スケール４と移動スケール５は、いずれか一方を外国サイズ、他方を日本サイズとする。本体１には固定スケール４の他、円板２の外周に移動スケール５の移動方向と移動量を規定するマーカ６を刻成し、円板２の対向縁部にインデックス７を刻成する。靴の種類毎にマーカ６を設定し、その中の１つにインデックス７を合わせると該当の靴のサイズ表示に対する日本サイズの誤差が最小となる位置に移動スケール５がくるようになっている。【選択図】図１
2007298447.tif 000002
【特許請求の範囲】
【請求項１】
外国サイズのスケールと日本サイズのスケールを対向して配置し、
そのいずれか一方を他方に対して移動可能になし、
それぞれのスケールにはその国のサイズ表示の間隔で数字を刻むと共に、
その一方と他方に、
靴の種類ごとに設定したマーカと、
このマーカに合わせると日本サイズに対するその靴のサイズ表示が最も一致する位置にスケールを移動するインデックスと、
を備えることを特徴とする足サイズ換算器。
【請求項２】
前記スケールが円形または線形で他方に対し一方を回転またはスライドしてスケールを移動することを特徴とする請求項１記載の足サイズ換算器。
【請求項３】
前記マーカおよびインデックスの形状が棒線または矢印であることを特徴とする請求項１記載の足サイズ換算器。
【請求項４】
前記マーカは少なくとも数字、文字、記号、名称、色のうちいずれかにより識別されることを特徴とする請求項１記載の足サイズ換算器。
【発明の詳細な説明】
【技術分野】
【０００１】
本発明は、外国製品の靴選びの際に有効な日本サイズを外国サイズに換算する足サイズ換算器に関する。
【背景技術】
【０００２】
我が国のサイズ表示方式は裸足で計った寸法（ヌードサイズ）を靴のサイズとしているが、欧米では捨て寸（爪先のゆとり）を含んだ靴そのもの長さを靴のサイズとしている。
そのため日本サイズで２３表示の靴は、外国サイズでは８〜１５ｍｍの捨て寸を含んだ２３．８〜２４．５ｃｍの靴に相当する。
また、同じ国の同じサイズ表示の靴でもメーカ、モデル、デザインなどによってサイズが異なる。
従って、日本サイズを正確な外国サイズに換算するためには、サイズ表示方式の違い、メーカ、モデル、デザインなどの靴による違いを考慮する必要がある。
【０００３】
また、日本サイズと外国サイズではサイズ表示の間隔が異なり、例えば日本サイズでは１／２ｃｍ間隔で数字を刻んでいるが、イタリアサイズはそれより短い１／３ｃｍ間隔で数字を刻んでいる。
そのため仮に日本サイズの２４．０がイタリアサイズの３６．０に相当する場合でも、それより２サイズ上（２４．０→２４．５→２５．０）の２５．０は、イタリアサイズで２サイズ上（３６．０→３６．５→３７．０）の３７．０に相当せず、３サイズ上の３７．５（＝２５．０×３／２）に相当する。
【０００４】
この差は標準より離れる程大きくなり、例えば日本サイズの２４．０を標準とすると、標準より６サイズ下の２１．０は、イタリアサイズでは９サイズも下の３１．５（＝２１．０×３／２）に相当する。
にもかかわらず、今までは、日本サイズと外国サイズを１対１に単純に対応させた換算表を用いて読み替えていたので、標準より大きい靴や小さい靴では、数字のずれが大きくなっていた。
そのためサイズの種類が少ない場合は、今までの換算表で何とか対応できたが、サイズの種類が多くなると、数字のずれが大きくなりすぎて、今までの換算表では対応できなくなっていた。
【発明の開示】
【発明が解決しようとする課題】
【０００５】
解決しようとする問題点は以上のような点であり、本発明は、サイズ表示方式の違い、靴によるサイズの違い、サイズ表示の間隔の違いによる対応のずれを修正して日本サイズを正確な外国サイズに換算できる足サイズ換算器を提供することを目的になされたものである。
【課題を解決するための手段】
【０００６】
そのため本発明は、外国サイズのスケールと日本サイズのスケールを対向して配置し、そのいずれか一方を他方に対して移動可能になし、それぞれのスケールにはその国のサイズ表示の間隔で数字を刻むと共に、その一方と他方に靴の種類ごとに設定したマーカと、このマーカに合わせると日本サイズに対するその靴のサイズ表示が最も一致する位置にスケールを移動するインデックスとを備えることを最も主要な特徴とする。
【発明の効果】
【０００７】
本発明は、外国サイズのスケールと日本サイズのスケールを対向して配置し、それぞれのスケールにはその国のサイズ表示の間隔で数字を刻むので、サイズ表示の間隔の違いによる対応のずれがなくなる。
また、靴の種類ごとに設定したマーカにインデックスを合わせると日本サイズに対するその靴のサイズ表示が最も一致する位置にスケールを移動するので、サイズ表示方式の違いや靴の違いによる対応のずれも簡単に修正でき、日本サイズを正確な外国サイズに換算できるようになる。
また、従来の換算表のように日本サイズと外国サイズの数字を無理やり１対１に対応させる必要がなく、アナログのスケールで中間の数字も読み取れるので換算時の誤差を最小にできる。
【発明を実施するための最良の形態】
【０００８】
以下、本発明の実施の形態について説明する。
【０００９】
図１に、本発明を実施した回転式の足サイズ換算器の平面図を示す。
回転式の足サイズ換算器は、カード型の本体１にそれより小径のフィルム状の円板２を重ね、その中心に鳩目３を打ち込んで両者を接合し、本体１の表面に円板２を軸止する。
本体１の形状は矩形の他、多角形や円形であってもよい。
本体１には円板２の外周に沿って円弧状の固定スケール４を刻成し、円板２の対向縁部に移動スケール５を刻成する。
固定スケール４と移動スケール５は、いずれか一方を外国サイズ、他方を日本サイズとする。図の例では固定スケール４に外国サイズ（イタリアサイズ）を、移動スケール５に日本サイズを配置している。外国サイズと日本サイズの配置は逆の場合もある。
【００１０】
本体１には固定スケール４の他、円板２の外周に移動スケール５の移動方向と移動量を規定するマーカ６を刻成し、円板２の対向縁部にインデックス７を刻成する。マーカ６とインデックス７の配置は逆の場合もある。
マーカ６は、メーカ、モデル、デザインなどによって異なるサイズの誤差を補正するもので、靴の種類毎にマーカ６（図の例ではＡ、Ｂ、Ｃ、Ｄ、Ｅ）を設定し、その中の１つにインデックス７を合わせると該当の靴のサイズ表示に対する日本サイズの誤差が最小となる位置に移動スケール５がくるようになっている。
日本サイズの誤差が最小となる位置は、例えばメーカが見本として作製した基準サイズの靴を足長サイズの異なる数人が試し履きし、その中で最もフィットした人の足長サイズが日本サイズのどの辺りに位置するかを見つけて決定する。
なお、マーカ６に付けた記号とメーカ名、モデル名、デザイン名などの対応を一覧にした早見表８を本体１の表面に掲載する。
【００１１】
マーカ６に付けた記号には数字や文字を表記する他にメーカ名、モデル名、デザイン名などを直接表記してもよい。また、マーカ６を数字や文字でなく色で識別してもよい。
インデックス７は、どのような形でもよく、図の例では１本の矢印で表記しているが、マーカ６と同じ数の棒線または矢印で表記してもよい。その場合、複数のマーカ６とインデックス７の組み合わせを色で識別してもよい。
【００１２】
回転式の足サイズ換算器は以上のような構成で、日本サイズを外国サイズに換算するときは、まず、本体１の早見表８を参照して試し履きする靴のメーカ、モデル、デザインに対応するマーカ６の記号を見つける。マーカ６の記号は靴や靴箱に直接表記されている場合もある。
次に、円板２を回転してインデックス７をその記号が表記されているマーカ６に合わせる。
その状態で日本サイズに合致する外国サイズの数値を読めば、それが求める外国サイズの数値となる。日本サイズが外国サイズの中間にくるときは、位置が近い方の数値を選択する。
【００１３】
図２に、本発明を実施したスライド式の足サイズ換算器の平面図を示す。
スライド式の足サイズ換算器は、封筒状の本体１にシート状の平板９を挿入し、本体１の長さ方向に沿って帯状の窓１０を開け、窓１０を通して平板９の一部を露出する。
平板９は、本体１に挿入した状態で長さ方向の移動を可能にするため、幅方向のサイズを本体１と略同じに、長さ方向のサイズを本体１より短くしている。
本体１には窓１０の一辺に沿って固定スケール４を刻成し、平板９の露出部の対向辺に移動スケール５を刻成する。
固定スケール４と移動スケール５は、いずれか一方を外国サイズ、他方を日本サイズとする。図の例では固定スケール４に外国サイズ（イタリアサイズ）を、移動スケール５に日本サイズを配置している。外国サイズと日本サイズの配置は逆の場合もある。
【００１４】
本体１には固定スケール４の他、窓１０の他辺に移動スケール５の移動方向と移動量を規定するマーカ６を刻成し、平板９の露出部の対向辺内側にインデックス７を刻成する。
マーカ６とインデックス７の配置は逆の場合もある。
マーカ６は、メーカ、モデル、デザインなどによって異なるサイズの誤差を補正するもので、靴の種類毎にマーカ６（図の例ではＡ、Ｂ、Ｃ、Ｄ、Ｅ）を設定し、その中の１つにインデックス７を合わせると該当の靴のサイズ表示に対する日本サイズの誤差が最小となる位置に移動スケール５がくるようになっている。
日本サイズの誤差が最小となる位置は、例えばメーカが見本として作製した基準サイズの靴を足長サイズの異なる数人が試し履きし、その中で最もフィットした人の足長サイズが日本サイズのどの辺りに位置するかを見つけて決定する。
なお、マーカ６に付けた記号とメーカ名、モデル名、デザイン名などの対応を一覧にした早見表８を本体１の表面に掲載する。
【００１５】
マーカ６に付けた記号には数字や文字を表記する他にメーカ名、モデル名、デザイン名などを直接表記してもよい。また、マーカ６を数字や文字でなく色で識別してもよい。
インデックス７は、どのような形でもよく、図の例では１本の矢印で表記しているが、マーカ６と同じ数の棒線または矢印で表記してもよい。その場合、複数のマーカ６とインデックス７の組み合わせを色で識別してもよい。
【００１６】
スライド式の足サイズ換算器は以上のような構成で、日本サイズを外国サイズに換算するときは、まず、本体１の早見表８を参照して試し履きする靴のメーカ、モデル、デザインに対応するマーカ６の記号を見つける。マーカ６の記号は靴や靴箱に直接表記されている場合もある。
次に、平板９をスライドしてインデックス７をその記号が表記されているマーカ６に合わせる。
その状態で日本サイズに合致する外国サイズの数値を読めば、それが求める外国サイズの数値となる。日本サイズが外国サイズの中間にくるときは、位置が近い方の数値を選択する。
【図面の簡単な説明】
【００１７】
【図１】本発明を実施した回転式の足サイズ換算器の平面図である。
【図２】本発明を実施したスライド式の足サイズ換算器の平面図である。
【符号の説明】
【００１８】
１          本体
２          円板
３          鳩目
４          固定スケール
５          移動スケール
６          マーカ
７          インデックス
８          早見表
９          平板
１０          窓
【図１】
2007298447.tif 000003
【図２】
2007298447.tif 000004